(57)【要約】【課題】内部での作業性を向上させることができるエスカレータのトラス構造体を得ることを目的とする。【解決手段】複数の踏段４は、トラス構造体１内を循環移動される。トラス構造体１は、トラス本体１０と、トラス本体１０に固定された作業足場部材１１とを有している。トラス本体１０は、互いに対向して立設された一対の側枠１２と、各側枠１２間に接続された下部接続部材１３とを有している。作業足場部材１１は、両端部が各側枠１２に固定され、帰路側の踏段４の移動領域と下部接続部材１３との間に配置されている。作業足場部材１１上には、踏段４側から滴下するオイルを受けるオイルパン６が載せられている。作業者は、トラス構造体１内の上部に配置された作業対象機器に対する作業を作業足場部材１１上で行う。【選択図】        図２
2004250187.tif 000002
【特許請求の範囲】
【請求項１】
互いに対向する一対の側枠と、上記側枠間に接続された下部接続部材とを有し、無端状に連結された複数の踏段が内側で循環移動されるトラス本体、及び
上記トラス本体内に設けられ、帰路側の上記踏段の移動領域と上記下部接続部材との間に配置され、作業者が乗りうる作業足場部材
を備えていることを特徴とする乗客コンベアのトラス構造体。
【請求項２】
上記作業足場部材の両端部は、各上記側枠に固定されていることを特徴とする請求項１に記載の乗客コンベアのトラス構造体。
【請求項３】
上記作業足場部材上には、上記踏段側から滴下するオイルを受けるオイルパンが設けられていることを特徴とする請求項１又は請求項２に記載の乗客コンベアのトラス構造体。
【請求項４】
上記作業足場部材と上記下部接続部材との間には、付属機器が収納される収納空間が形成されている請求項１乃至請求項３の何れかに記載の乗客コンベアのトラス構造体。
【発明の詳細な説明】
【０００１】
【発明の属する技術分野】
この発明は、例えばエスカレータや動く歩道等の支持構造物である乗客コンベアのトラス構造体に関するものである。
【０００２】
【従来の技術】
従来のエスカレータでは、組立・据付時や保守点検時等に作業者がトラス構造体内に立ち入って作業を行うことがある。トラス構造体内の底面には、オイルを受けるためのオイルパンが敷設されている。作業者は、オイルパンに乗って作業を行う（例えば、特許文献１参照）。
【０００３】
【特許文献１】
特開２００２−２２６１６３号公報
【０００４】
【発明が解決しようとする課題】
通常のエスカレータのトラス構造体は、長手方向の両端部の支持点で支持されているが、高揚程エスカレータや動く歩道等の乗客コンベアでは、強度を確保するために、両端部だけでなくトラス構造体の中間部にも支持点が設けられている。
【０００５】
しかしながら、デザイン上の制約等のために中間部に支持点を設けることができない場合には、乗客コンベアの自重等に対する強度を確保するためにトラス構造体の高さ方向のサイズを大きくする必要がある。トラス構造体の高さ方向のサイズが大きくなると、トラス構造体内での作業の際に、作業者はトラス構造体内の上部に配置された作業対象機器に手が届きにくくなるため作業性が悪くなる。
【０００６】
そこでこの発明は、上記のような問題点を解決することを課題とするもので、内部での作業性を向上させることができる乗客コンベアのトラス構造体を得ることを目的とする。
【０００７】
【課題を解決するための手段】
この発明に係る乗客のトラス構造体は、互いに対向する一対の側枠と、側枠間に接続された下部接続部材とを有し、無端状に連結された複数の踏段が内側で循環移動されるトラス本体、及びトラス本体内に設けられ、帰路側の踏段の移動領域と下部接続部材との間に配置され、作業者が乗りうる作業足場部材を備えている。
【０００８】
【発明の実施の形態】
以下、この発明の実施の形態を図面を参照しながら説明する。
実施の形態１．
図１はこの発明の実施の形態１によるエスカレータを示す側面図である。図において、トラス構造体１の長手方向両端部は、建築梁の支持点（図示しない）に支持固定されている。トラス構造体１の一端部には、上部スプロケット２が配置されている。トラス構造体１の他端部には、下部スプロケット３が配置されている。上部スプロケット２は、駆動装置（図示しない）により回転される。
【０００９】
トラス構造体１内には、無端状に連結された複数の踏段４が配置されている。踏段４は、踏段チェーン５により互いに連結されている。踏段チェーン５は、上部スプロケット２及び下部スプロケット３に巻き掛けられている。各踏段４は、駆動装置の駆動によりトラス構造体１内の環状領域を循環移動される。
【００１０】
踏段チェーン５には、エスカレータの円滑運転に必要なオイルが供給される。トラス構造体１内の各踏段４の下方には、踏段チェーン５等から滴下するオイルを受けるオイルパン６がトラス構造体１の全長に渡って配置されている。
なお、トラス構造体１の上部には、欄干７が取り付けられている。
【００１１】
図２は、図１のＩＩ−ＩＩ線に沿った断面図である。図において、乗客が乗りうる往路側の踏段４はトラス構造体１内の上部に位置する往路位置８を通るように移動され、帰路側の踏段４は往路位置８よりも下方に位置する帰路位置９を通るように移動される。トラス構造体１は、トラス本体１０と、トラス本体１０内に設けられたアングル部材である複数の作業足場部材１１とを備えている。トラス本体１０は、互いに対向して立設された一対の側枠１２と、各側枠１２の下端部間に接続された複数の下部接続部材１３と、往路位置８と帰路位置９との間に配置された複数の上部接続部材１４とを有している。各下部接続部材１３及び各上部接続部材１４は、トラス構造体１の長手方向に互いに間隔を置いてそれぞれ配置されている。
【００１２】
各作業足場部材１１は、下部接続部材１３と帰路位置９との間に配置されている。また、各作業足場部材１１は、トラス構造体１の長手方向に互いに間隔を置いて配置されている。即ち、各作業足場部材１１は、帰路側の踏段４の移動領域と下部接続部材１３との間に配置されている。各作業足場部材１１の両端部は、各側枠１２に固定されており、作業者１６を支持できる程度の強度を有している。オイルパン６は、作業足場部材１１上に固定されている。踏段４及び踏段チェーン５等のトラス構造体１内の上部に位置する作業対象機器の組立・据付作業及び保守点検作業は、作業足場部材１１上の作業者１６によって行われる。このとき、作業者１６は、オイルパン６の作業足場部材１１の位置に乗って作業を行う。
【００１３】
作業足場部材１１の下方には、一対の側枠１２、作業足場部材１１及び下部接続部材１３によって囲まれた収納空間１５が設けられている。また、下部接続部材１３の下方には、エスカレータの外装下部を構成する化粧板１７（図１では図示せず）が配置されている。化粧板１７には、複数の照明器具やスプリンクラ装置等が取り付けられている。収納空間１５内には、照明器具の電気配線及びスプリンクラ装置の配管等の付属機器が収納されている。
【００１４】
このようなエスカレータのトラス構造体１では、帰路側の踏段４の移動領域と下部接続部材１３との間に作業足場部材１１が配置されているので、作業者１６は下部接続部材１３の上方に位置する作業足場部材１１上で作業を行うことができ、従来の下部接続部材１３上での作業に比べて作業対象機器に対する据付・組立作業や保守点検作業等を容易に行うことができる。従って、トラス構造体１内での作業性を向上させることができる。
また、作業足場部材１１の両端部が各側枠１２に固定されているので、トラス構造体１の幅方向への強度を大きくすることができる。
【００１５】
さらに、作業足場部材１１上にオイルパン６が載せられているので、踏段チェーン５等から滴下されるオイルは下部接続部材１３よりも踏段チェーン５から近い作業足場部材１１上のオイルパン６によって受けられ、オイルの飛散を抑制することができる。
【００１６】
さらにまた、作業足場部材１１の下方に収納空間１５が設けられているので、従来は下部接続部材１３の下方に配置されていたスプリンクラの配管及び電気配線等の付属機器を収納空間１５内に収納することができ、トラス構造体１内の空間を有効に活用することができる。従って、下部接続部材１３と化粧板１７との間の隙間を小さくすることができ、エスカレータ全体の設置スペースを小さくすることができる。
【００１７】
なお、上記の例では、オイルパン６は、作業足場部材１１上に設けられているが、オイルの飛散が問題にならないのであれば、下部接続部材１３上に設けられていてもよい。
【００１８】
また、上記の例では、作業足場部材１１は、アングル部材であるが、例えば棒状部材あるいは板状部材であってもよい。
【００１９】
また、上記の例では、エスカレータについて説明したが、動く歩道にこの発明を適用してもよい。
【００２０】
【発明の効果】
以上の説明から明らかなように、この発明に係る乗客のトラス構造体は、作業者が乗りうる作業足場部材が帰路側の踏段の移動領域とトラス本体の下部接続部材との間に配置されているので、トラス構造体が大形化しても、作業者は作業足場部材に乗ることによりトラス構造体内上部の作業対象機器に対して保守点検作業等を容易に行うことができ、トラス構造体内部の作業性を向上させることができる。
【図面の簡単な説明】
【図１】この発明の実施の形態１によるエスカレータを示す側面図である。
【図２】図１のＩＩ−ＩＩ線に沿った断面図である。
【符号の説明】
１  トラス構造体、４  踏段、６  オイルパン、１０  トラス本体、１１  作業足場部材、１２  側枠、１３  下部接続部材、１５  収納空間。
【図１】
2004250187.tif 000003
【図２】
2004250187.tif 000004